(57)【要約】【課題】額縁の裏面板と表面板とをワンタッチ操作で簡単に固定・離脱するとともに、簡素な構成により安価に製造することができる額縁の固定具を提供すること。【解決手段】裏面板１ａとその上に重合される表面板１ｂとを挟持して固定する額縁の固定具において、裏面板１ａの縁部の裏面に固定される固定具本体２と、この固定具本体２に掛止する掛止部材３とからなり、固定具本体２が、裏面板１ａの縁部から対向縁部側に延設されるガイド部４と、このガイド部４の先端側に形成された押え片５とを備え、掛止部材３が、固定具本体２のガイド部４に挿入され、その先端部が押え片５の先端部に掛止する円弧状のばね片６と、このばね片６の基部から表面板１ｂ側に延設され、先端部に形成した爪部７により表面板１ｂを表側から掛止する固定片８とを備える。【選択図】図１
2007289300.tif 000002
【特許請求の範囲】
【請求項１】
裏面板とその上に重合される表面板とを挟持して固定する額縁の固定具において、裏面板の縁部の裏面に固定される固定具本体と、該固定具本体に掛止する掛止部材とからなり、固定具本体が、裏面板の縁部から対向縁部側に延設されるガイド部と、該ガイド部の先端側に形成された押え片とを備え、掛止部材が、前記ガイド部に挿入され、その先端部が前記押え片の先端部に掛止する円弧状のばね片と、該ばね片の基部から表面板側に延設され、先端部に形成した爪部により表面板を表側から掛止する固定片とを備えたことを特徴とする額縁の固定具。
【請求項２】
ばね片の先端部に、押え片の先端部に掛止する係止部を形成するとともに、押え片の中間位置に、押え片の係止部と当接して押え片の抜け止めをなすストッパ部を形成したことを特徴とする請求項１記載の額縁の固定具。
【請求項３】
請求項１又は２記載の額縁の固定具を配設してなることを特徴とする額縁。
【発明の詳細な説明】
【技術分野】
【０００１】
本発明は、前面開放型の額縁の固定具に関し、特に、額縁の裏面板と表面板とをワンタッチ操作で簡単に固定・離脱するとともに、簡素な構成により安価に製造することができる額縁の固定具に関するものである。
【背景技術】
【０００２】
従来、前面開放型の額縁では、アルミ等の押出形材のフレームによって枠組みされるとともに、板ガラスや展示物、裏板等の内容物を保持するために、フレームに板ガラスの前部掛止片が設けられている。
【０００３】
このため、従来の額縁では、前面から展示物を差し替えする手段として、各フレームをヒンジによって開閉構造となし、前部掛止片を枠外側へ反転して開放するようになされているが、フレームの構造が複雑で、展示物の差し替えを簡単に行うことができないという問題があった。
【発明の開示】
【発明が解決しようとする課題】
【０００４】
本発明は、上記従来の額縁が有する問題点に鑑み、額縁の裏面板と表面板とをワンタッチ操作で簡単に固定・離脱するとともに、簡素な構成により安価に製造することができる額縁の固定具を提供することを目的とする。
【課題を解決するための手段】
【０００５】
上記目的を達成するため、本発明の額縁の固定具は、裏面板とその上に重合される表面板とを挟持して固定する額縁の固定具において、裏面板の縁部の裏面に固定される固定具本体と、該固定具本体に掛止する掛止部材とからなり、固定具本体が、裏面板の縁部から対向縁部側に延設されるガイド部と、該ガイド部の先端側に形成された押え片とを備え、掛止部材が、前記ガイド部に挿入され、その先端部が前記押え片の先端部に掛止する円弧状のばね片と、該ばね片の基部から表面板側に延設され、先端部に形成した爪部により表面板を表側から掛止する固定片とを備えたことを特徴とする。
【０００６】
この場合において、ばね片の先端部に、押え片の先端部に掛止する係止部を形成するとともに、押え片の中間位置に、押え片の係止部と当接して押え片の抜け止めをなすストッパ部を形成することができる。
【０００７】
そして、この額縁の固定具は、固定具単独で販売することも、額縁として販売することもできる。
【発明の効果】
【０００８】
本発明の額縁の固定具によれば、裏面板に固定した固定具本体に掛止部材を挿入すると、掛止部材のばね片がその先端部を固定具本体の押え片の先端部に掛止するとともに、掛止部材の固定片が爪部により表面板を表側から掛止する。
また、離脱時は、掛止部材のばね片の先端部と固定具本体の押え片との掛止状態を解除し、掛止部材を抜き取り方向に移動して、固定片の爪部による表面板の掛止が解除される。
このように、本発明の額縁の固定具は、額縁の裏面板と表面板とをワンタッチ操作で簡単に固定・離脱することができ、しかも、表面板の掛止は固定片の爪部により付勢した状態で行われることから、間に挟む展示物の厚みに容易に対応できるとともに、簡単な構造であることから、プラスチック成型品等により安価に製造することができる。
【０００９】
また、ばね片の先端部に、押え片の先端部に掛止する係止部を形成するとともに、押え片の中間位置に、押え片の係止部と当接して押え片の抜け止めをなすストッパ部を形成することにより、掛止部材を固定具本体に挿入したまま、押え片に対する掛脱をし、前記裏面板と表面板の固定と離脱を行うことができ、これにより、掛止部材の挿入の手間や紛失のおそれをなくすことができる。
【００１０】
そして、この額縁の固定具は、固定具単独で販売することも、額縁として販売することもでき、特に、固定具単独で販売することにより、固定具と、ユーザーが選択した任意の大きさ、色合いの裏面板及び表面板とを組み合わせることで、独創的な額縁をユーザー側で製作することができる。
【発明を実施するための最良の形態】
【００１１】
以下、本発明の額縁の固定具の実施の形態を、図面に基づいて説明する。
【実施例１】
【００１２】
図１〜図３に、本発明の額縁の固定具の一実施例を示す。
この額縁の固定具は、裏面板１ａとその上に重合される同形状の表面板１ｂとを挟持して固定するもので、裏面板１ａの縁部の裏面に固定される固定具本体２と、この固定具本体２に掛止する掛止部材３とにより構成されている。
【００１３】
そして、裏面板１ａと表面板１ｂとの間には、写真、印刷物等の展示物９を、必要に応じて、台紙（図示省略）を介して、配設し、展示するようにする。
【００１４】
裏面板１ａ及び表面板１ｂは、特に限定されるものではないが、例えば、アクリル樹脂等の無色透明のプラスチック板を好適に用いることができる。
【００１５】
固定具本体２は、特に限定されるものではないが、例えば、アクリル樹脂等の無色透明のプラスチック成型品からなり、裏面板１ａの裏面に接着するようにする。
なお、固定具本体２の裏面板１ａへの接着は、製造者側で行うことも、ユーザー側で行うこともでき、特に、ユーザー側で行う場合には、この固定具と、ユーザーが選択した任意の大きさ、色合いの裏面板１ａ及び表面板１ｂとを組み合わせることで、独創的な額縁をユーザー側で製作することができる。
【００１６】
固定具本体２は、裏面板１ａの縁部から対向縁部側に延設されるガイド部４と、このガイド部４の先端側に形成された円弧状（又は傾斜状）の押え片５とを備えている。
【００１７】
そして、固定具本体２は、裏面板１ａの端面に掛止する鍔２１を備えた一対のベース２２を所要離間して配設するとともに、各ベース２２の内側から側壁２３を立設してガイド部４を形成する。
また、ガイド部４の一部に透孔４１を形成し、押え片５に形成した透孔５２との間に吊り紐（図示省略）を架け渡して、この固定具を取り付けた額縁を壁に掛けて使用することができるようにしている。
また、ガイド部４の基部側に補助脚（図示省略）を挿入するための補助脚挿入部４２を形成し、この固定具を取り付けた額縁を自立させて使用することができるようにしている。
ガイド部４の側壁２３の先端部には、裏面板１ａ側に湾曲した円弧状（又は傾斜状）の押え片５が設けられており、この押え片５の中間位置の内側には、後述するばね片６の係止部６１と当接して抜け止めをなすストッパ部５１が形成されている。
ストッパ部５１は、ばね片６の挿入側は比較的緩い傾斜を付して、ばね片６の挿入を案内するとともに、抜き取り側は、ばね片６の係止部６１と当接して抜け止めをなすように、ほぼ直角に形成されている。
【００１８】
掛止部材３は、特に限定されるものではないが、例えば、アクリル樹脂等の無色透明のプラスチック成型品からなる。
【００１９】
掛止部材３は、固定具本体２のガイド部４に挿入され、その先端部が押え片５の先端部に掛止する円弧状のばね片６と、このばね片６の基部から表面板１ｂ側に延設され、先端部に形成した爪部７により表面板１ｂを表側から掛止する固定片８とを備えている。
【００２０】
そして、掛止部材３は、固定具本体２のガイド部４に挿入され、反裏面板１ａ側に湾曲した円弧状のばね片６の凸面側が裏面板１ａに押し当てられることにより、その先端部が押え片５を越えて弾性的に掛止するようにしている。
ばね片６の先端部には、押え片５の先端部に掛止する係止部６１が形成されており、この係止部６１は、離脱時に押え片５のストッパ部５１に当接することにより、抜け止めがなされる。
なお、固定具本体２の押え片５と掛止部材３との掛止構造は、本実施例のものに限定されず、任意の掛止構造を採用することができる。
これにより、掛止部材３は、ばね片６を固定具本体２に挿入し保持させた状態で、押え片５に対する掛脱を行い、裏面板１ａと表面板１ｂの固定及び離脱を行うことができる。
【００２１】
また、掛止部材３のばね片６の基部には、表面板１ｂ側に延設され、その先端部に爪部７を有する固定片８が設けられている。
この固定片８は、表面板１ｂの端面に当接してこの表面板１ｂを支持するとともに、ばね片６の弾性の作用によって、表面板１ｂを爪部７により表側から付勢して掛止することができる。
固定片８の後部には、指掛け部８１が形成されており、ばね片６を押え片５に掛止させる際に、この指掛け部８１に指を掛けて押し込むことにより、表面板１ｂに爪部７を掛止する動作を容易にしている。
【００２２】
この額縁の固定具は、裏面板１ａに固定した固定具本体２に掛止部材３を挿入すると、図１（ｃ）に示すように、掛止部材３のばね片６がその先端部を固定具本体２の押え片５先端部にばね的に掛止するとともに、掛止部材３の固定片８が爪部７により表面板１ｂを表側から付勢した状態で掛止する。
また、離脱時は、図１（ｃ）の状態から、掛止部材３のばね片６の先端部を押圧すると、固定具本体２の押え片５との掛止状態が解除され、図１（ｄ）に示すように、掛止部材３が抜き取り方向に移動して、固定片８の爪部７による表面板１ｂの掛止が解除される。
このように、本発明の額縁の固定具は、額縁の裏面板１ａと表面板１ｂとをワンタッチ操作で簡単に固定・離脱することができ、しかも、表面板１ｂの掛止は固定片８の爪部７により付勢した状態で行われることから、間に挟む展示物の厚みに容易に対応できるとともに、簡単な構造であることから、プラスチック成型品等により安価に製造することができる。
【００２３】
また、ばね片６の先端部に、押え片５の先端部に掛止する係止部６１を形成するとともに、押え片５の中間位置の内側に、この係止部６１と当接して抜け止めをなすストッパ部５１を形成することにより、図１（ｃ）〜図１（ｄ）に示すように、掛止部材３を固定具本体２に挿入したまま、押え片５に対する掛脱をし、裏面板１ａと表面板１ｂの固定と離脱を行うことができ、これにより、掛止部材３の挿入の手間や紛失のおそれをなくすことができる。
【００２４】
そして、この額縁の固定具は、裏面板１ａ及び表面板１ｂの大きさ等に応じて、図３に示すように、裏面板１ａ及び表面板１ｂの対向する２辺に１個ずつ配設するほか、４辺に１個ずつ配設したり、１辺に２個以上配設するようにすることもできる。
【００２５】
以上、本発明の額縁の固定具について、その実施例に基づいて説明したが、本発明は上記実施例に記載した構成に限定されるものではなく、例えば、ストッパ部５１を省略する等、その趣旨を逸脱しない範囲において適宜その構成を変更することができる。
【産業上の利用可能性】
【００２６】
本発明の額縁の固定具は、額縁の裏面板と表面板とをワンタッチ操作で簡単に固定・離脱するとともに、簡素な構成により安価に製造できることから、裏面板と表面板とを備えた前面開放型の額縁の固定具として広く用いることができる。
【図面の簡単な説明】
【００２７】
【図１】本発明の額縁の固定具の一実施例を示し、（ａ）は掛止部材と固定具本体を示す平面図、（ｂ）は同断面側面図、（ｃ）は掛止部材を固定具本体に掛止した状態を示す断面図、（ｄ）は掛止部材を固定具本体との掛止から外した状態を示す断面図である。
【図２】（ａ）は固定具本体を表側から見た斜視図、（ｂ）は同裏側から見た斜視図、（ｃ）は掛止部材を表側から見た斜視図、（ｄ）は同裏側から見た斜視図である。
【図３】本発明の額縁の固定具を装着した額縁の一例を示し、（ａ）は正面図、（ｂ）は背面図である。
【符号の説明】
【００２８】
１ａ  裏面板
１ｂ  表面板
２    固定具本体
３    掛止部材
４    ガイド部
４１  透孔
４２  補助脚挿入部
５    押え片
５１  ストッパ部
５２  透孔
６    ばね片
６１  係止部
７    爪部
８    固定片
８１  指掛け部
９    展示物
【図１】
2007289300.tif 000003
【図２】
2007289300.tif 000004
【図３】
2007289300.tif 000005